(57)【特許請求の範囲】
【請求項１】
外周部が多角形状の筒状に形成されたナット本体と、このナット本体の一端部に形成された該ナット本体の内径よりも小さなボルト挿入孔を有するストッパー片と、前記ナット本体内に脱落不能に収納され、使用されるボルトのねじ山間に係合する一部が切断あるいは内側に複数個の切欠部を有し、かつ一部に突起部を形成した少なくとも１枚以上のワッシャー状のナット部材と、このナット部材を常時前記ストッパー片へ押し圧するように前記ナット本体内に収納されたスプリングと、前記ナット本体の一端部に該ナット本体を軸孔が形成された部材にカシメて取り外し不能でかつ回転可能に取付けることができるカシメ片を有する取付部とからなることを特徴とするナット。
【発明の詳細な説明】
【０００１】
【発明の属する技術分野】
本発明は取付け部材を座金として使用することができるナットに関する。
【０００２】
【従来の技術】
従来、ボルトに押し込むことにより所定位置まで移動でき、その部位より回転させることによりボルトのねじ山と螺合する雌ねじ部が複数個に分割されたナットは、該ナットを取付け部材に固定することができる座金を回転可能に取付けている。
【０００３】
【発明が解決しようとする課題】
従来のこの種のナットは構造が複雑で、組付けに手数がかかりコスト高になるという欠点があるとともに、使用部分に応じて形状の異なる座金を使用しなければならず、製造が面倒で、コスト高になるという欠点があった。
【０００４】
本発明は以上のような従来の欠点に鑑み、構造が簡単で、容易に組付けることができるとともに、取付け部材を座金として使用することができ、低コストで製造することができるナットを提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は外周部が多角形状の筒状に形成されたナット本体と、このナット本体の一端部に形成された該ナット本体の内径よりも小さなボルト挿入孔を有するストッパー片と、前記ナット本体内に脱落不能に収納され、使用されるボルトのねじ山間に係合する一部が切断あるいは内側に複数個の切欠部を有し、かつ一部に突起部を形成した少なくとも１枚以上のワッシャー状のナット部材と、このナット部材を常時前記ストッパー片へ押し圧するように前記ナット本体内に収納されたスプリングと、前記ナット本体の一端部に該ナット本体を軸孔が形成された部材にカシメて取り外し不能でかつ回転可能に取付けることができるカシメ片を有する取付部とでナットを構成している。
【０００７】
【発明の実施の形態】
以下、図面に示す実施の形態により、本発明を詳細に説明する。
【０００８】
図１ないし図８に示す本発明者が考えたナットにおいて、１は機器の部品である取付け部材２を座金として使用することができる本発明のナットで、このナット１は図３ないし図６に示すように、外壁３が多角形状、本発明の実施の形態では六角形状に形成され、内壁４に順次小径寸法となる傾斜孔５を有するナット本体６と、このナット本体６へ大径側の端部に形成されたボルト挿入孔７を有するストッパー片８と、前記ナット本体６の内壁４面の軸心方向に形成された少なくとも２個以上、本発明の実施の形態では３個のガイド片９、９、９と、このガイド片９、９、９間に軸心方向にスライド移動可能に取付けられた内壁４面にボルト１０と螺合されるねじ山１１を有する３個のナットセグメント１２、１２、１２と、前記ナット本体６内に収納された、一端が前記３個のナットセグメント１２、１２、１２の後端部に必要に応じて設けられる座金１３と当接し、他端部が前記ストッパー片８に当接する該ナットセグメント１２、１２、１２を常時ナット本体６の小径側に付勢する付勢スプリング１４と、前記ナット本体６の小径側に形成された、前記取付け部材２の軸孔２ａに取り外し不能でかつ回転可能に取付けることができる取付部１５とで構成されている。
【０００９】
前記３個のナットセグメント１２、１２、１２は前記ナット本体６の小径側よりも付勢スプリング１４側が厚肉となるように形成されている。
【００１０】
前記取付部１５は前記ナット本体６の小径側に該ナット本体６の外径寸法よりも小径寸法の支持軸１６と、この支持軸１６の先端外周部に形成されたカシメ片１７とで構成されている。
【００１１】
上記構成のナット１は機器の部品である取付部材２の軸孔２ａに支持軸１６を挿入して、カシメ片１７をカシメてナット１を取り外し不能でかつ回転可能に取付ける。
【００１２】
この状態でナット１にボルト１０を所定位置まで押し込み、しかる後、ナット１を締付け方向に回転させることにより、ナット１のナットセグメント１２、１２、１２がボルト１０のねじ山１０ａと螺合し、従来のナットと同様に締付けることができる。
【００１３】
また、ボルト１０が伸長したり、締付け部分の寸法が小さくなった場合には、ナット１が取付け部材２に取付けられているため、該取付け部材２と一体になって移動するとともに、ナットセグメント１２、１２、１２も付勢スプリング１４の付勢力によって締付け方向へスライド移動して、締付けが緩むのを自動的に防止する。
【００１４】
【発明の異なる実施の形態】
次に、図９ないし図２６に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図９ないし図１１に示す本発明者が考えたナットにおいて、前記図１ないし図８のナットと主に異なる点は、ナット本体６の小径側の外周部に形成されたフランジ状の支持片１８と、この支持片１８が形成された部位よりも前記ナット本体６の小径側の外周部に形成されたカシメ片１９とからなる取付部１５Ａを形成した点で、このような取付部１５Ａを形成したナット１Ａにしても、前記本発明の第１の実施の形態と同様な作用効果が得られる。
【００１６】
図１２ないし図１５に示す本発明の第１の実施の形態において、前記図１ないし図８のナットと主に異なる点は多角形状、本発明の実施の形態では六角形の筒状に形成されたナット本体６Ａと、このナット本体６Ａの一端部に形成された該ナット本体６Ａの内径よりも小径のボルト挿入孔７が形成されたストッパー片８と、前記ナット本体６Ａ内に該ナット本体６Ａの他端部をカシメることにより脱落不能でかつ回転不能にリング状のスペーサー２０を介して収納された、使用される丸棒、異形鉄筋やボルト等と噛み合い係合する一部が切断された外周が六角の複数枚、本発明の実施の形態では３枚のワッシャー状のナット部材２１、２１、２１と、このナット部材２１、２１、２１を常時一端部方向に付勢する前記ナット本体６Ａ内に収納された付勢スプリング１４とを用いた点で、このように構成したナット１Ｂにしても、前記本発明の第１の実施の形態と同様な作用効果が得られる。
【００１７】
図１６ないし図１８に示す本発明の第２の実施の形態において、前記本発明の第１の実施の形態と主に異なる点は、ナット本体６Ａの一端部の外周部に取付部１５Ａを形成した点で、このように構成したナット１Ｃにしても、前記本発明の第３の実施の形態と同様な作用効果が得られる。
【００１８】
図１９ないし図２１に示す本発明の第３の実施の形態において、前記本発明の第１の実施の形態と主に異なる点は、内側に複数個、本発明の実施の形態では６個の切欠部２２、２２、２２、２２、２２、２２が形成されたナット部材２１Ａ、２１Ａ、２１Ａを用いた点で、このようなナット部材２１Ａ、２１Ａ、２１Ａを用いて構成したナット１Ｄにしても、前記本発明の第３の実施の形態と同様な作用効果が得られる。
【００１９】
図２２ないし図２４に示す本発明の第４の実施の形態において、前記本発明の第１の実施の形態と主に異なる点は、切断することなく一部に突起部２３を形成したナット部材２１Ｂ、２１Ｂ、２１Ｂを用いた点で、このように形成されたナット部材２１Ｂ、２１Ｂ、２１Ｂを用いて構成したナット１Ｅにしても、前記本発明の第３の実施の形態と同様な作用効果が得られる。
【００２０】
図２６ないし図２７に示す本発明の第５の実施の形態において、前記本発明の第３の実施の形態と主に異なる点は、付勢スプリングを用いることなくナット本体６Ａ内に外周部が円形状のナット部材２１Ｃ、２１Ｃ、２１Ｃを用いた点で、このように形成されたナット部材２１Ｃ、２１Ｃ、２１Ｃを用いたナット１Ｆはボルト、異形鉄筋、丸棒等が挿入されるように押し込み、所定位置で固定する固定具として使用することができる。
【００２１】
図２８ないし図３０に示す本発明者が考えたナットにおいて、前記図１ないし図８のナットと主に異なる点は、外周部にねじ部２４を形成し、該ねじ部２４にフランジ部２５ａを有するナット状の取付け部材２５を螺合させることができる取付部１５Ｂを形成した点で、このように形成されたナット１Ｇにしても、前記本発明の第１の実施の形態と同様な作用効果が得られる。
【００２２】
図３１ないし図３３に示す本発明者が考えたナットにおいて、前記図１ないし図８のナットと主に異なる点は、外周部に嵌合部２６を形成し、該嵌合部２６にフランジ部２５ａを有する取付け部材２５Ａを押圧により嵌合することができる取付部１５Ｃを形成した点で、このように形成されたナット１Ｈにしても、前記本発明の第１の実施の形態と同様な作用効果が得られる。
【００２３】
図３４ないし図３６に示す本発明の第６の実施の形態において、前記本発明の第１の実施の形態と主に異なる点は、外周部にねじ部２４を形成し、該ねじ部２４にフランジ部２５ａを有するナット状の取付け部材２５を螺合させることができる取付部１５Ｂを形成した点で、このように形成されたナット１Ｉにしても、前記本発明の第３の実施の形態と同様な作用効果が得られる。
【００２４】
図３７ないし図３９に示す本発明の第７の実施の形態において、前記本発明の第１の実施の形態と主に異なる点は、外周部に嵌合部２６を形成し、該嵌合部２６にフランジ部２５ａを有する取付け部材２５Ａを押圧により嵌合することができる取付部１５Ｃを形成した点で、このように形成されたナット１Ｊにしても、前記本発明の第３の実施の形態と同様な作用効果が得られる。
【００２５】
なお、前記本発明の実施の形態では３個のナットセグメントを用いるものについて説明したが、本発明はこれに限らず、２個、４個のナットセグメントを用いてもよい。
また、前記本発明の実施の形態では３個のナット部材を用いるものについて説明したが、本発明はこれに限らず、１個、２個、４個以上の複数個使用してもよい。
【００２６】
【発明の効果】
以上の説明から明らかなように、本発明にあっては次に列挙する効果が得られる。
【００２７】
（１）外周部が多角形状の筒状に形成されたナット本体と、このナット本体の一端部に形成された該ナット本体の内径よりも小さなボルト挿入孔を有するストッパー片と、前記ナット本体内に脱落不能に収納され、使用されるボルトのねじ山間に係合する一部が切断あるいは内側に複数個の切欠部を有し、かつ一部に突起部を形成した少なくとも１枚以上のワッシャー状のナット部材と、このナット部材を常時前記ストッパー片へ押し圧するように前記ナット本体内に収納されたスプリングと、前記ナット本体の一端部に該ナット本体を軸孔が形成された部材にカシメて取り外し不能でかつ回転可能に取付けることができるカシメ片を有する取付部とで構成されているので、機器の部品である取付け部材に取付部のカシメ片をカシメることにより、取り外し不能で、かつ回転可能に取付けることができる。
したがって、取付け部材が座金としての機能と、座金を固定する機能とを有し、容易に取付けることができる。
【００２８】
（２）前記（１）によって、ボルトを締付け部位まで押し込み位置させることができるとともに、ナット本体を回転させることにより、２個以上のナットセグメントがボルトのねじ山と螺合させることができる。
したがって、取付けが容易で、短時間に行なうことができる。
【００２９】
（３）前記（１）によって、ナット本体にカシメ片を有する取付部を形成するだけでよいので、容易に製造することができるとともに、従来のように座金を取付けなくてもよいので、製造が容易で、低コストで製造することができる。
【００３０】
【図面の簡単な説明】
【図１】本発明者が考えたナットの使用状態の説明図。
【図２】本発明者が考えたナットの使用状態の正面図。
【図３】本発明者が考えたナットの正面図。
【図４】本発明者が考えたナットの底面図。
【図５】本発明者が考えたナットの平面図。
【図６】図１の６−６線に沿う断面図。
【図７】本発明者が考えたナットの取付け状態の説明図。
【図８】本発明者が考えたナットのナットセグメントの動作説明図。
【図９】本発明者が考えたナットの正面図。
【図１０】本発明者が考えたナットの底面図。
【図１１】本発明者が考えたナットの縦断面図。
【図１２】本発明の第１の実施の形態の正面図。
【図１３】本発明の第１の実施の形態の底面図。
【図１４】本発明の第１の実施の形態の縦断面図。
【図１５】本発明の第１の実施の形態のナット部材の説明図。
【図１６】本発明の第２の実施の形態の正面図。
【図１７】本発明の第２の実施の形態の底面図。
【図１８】本発明の第２の実施の形態の縦断面図。
【図１９】本発明の第３の実施の形態の正面図。
【図２０】本発明の第３の実施の形態の底面図。
【図２１】本発明の第３の実施の形態の縦断面図。
【図２２】本発明の第４の実施の形態の底面図。
【図２３】本発明の第４の実施の形態の縦断面図。
【図２４】本発明の第４の実施の形態のナット部材の説明図。
【図２５】本発明の第５の実施の形態の底面図。
【図２６】本発明の第５の実施の形態の縦断面図。
【図２７】本発明の第５の実施の形態のナット部材の説明図。
【図２８】本発明者が考えたナットの正面図。
【図２９】本発明者が考えたナットの底面図。
【図３０】本発明者が考えたナットの縦断面図。
【図３１】本発明者が考えたナットの正面図。
【図３２】本発明者が考えたナットの底面図。
【図３３】本発明者が考えたナットの縦断面図。
【図３４】本発明の第６の実施の形態の正面図。
【図３５】本発明の第６の実施の形態の底面図。
【図３６】本発明の第６の実施の形態の縦断面図。
【図３７】本発明の第７の実施の形態の正面図。
【図３８】本発明の第７の実施の形態の底面図。
【図３９】本発明の第７の実施の形態の縦断面図。
【符号の説明】
１、１Ａ〜１Ｊ：ナット、
２：取付け部材、        ３：外壁、
４：内壁、              ５：傾斜孔、
６、６Ａ：ナット本体、  ７：ボルト挿入孔、
８：ストッパー片、      ９：ガイド片、
１０：ボルト、          １１：ねじ山、
１２：ナットセグメント、１３：座金、
１４：付勢スプリング、
１５、１５Ａ、１５Ｂ、１５Ｃ：取付部、
１６：支持軸、          １７：カシメ片、
１８：支持片、          １９：カシメ片、
２０：スペーサー、
２１、２１Ａ、２１Ｂ、２１Ｃ：ナット部材、
２２：切欠部、          ２３：突起部、
２４：ねじ部、          ２５、２５Ａ：取付け部材、
２６：嵌合部。
【図１】
0004486240.tif 000002
【図２】
0004486240.tif 000003
【図３】
0004486240.tif 000004
【図４】
0004486240.tif 000005
【図５】
0004486240.tif 000006
【図６】
0004486240.tif 000007
【図７】
0004486240.tif 000008
【図８】
0004486240.tif 000009
【図９】
0004486240.tif 000010
【図１０】
0004486240.tif 000011
【図１１】
0004486240.tif 000012
【図１２】
0004486240.tif 000013
【図１３】
0004486240.tif 000014
【図１４】
0004486240.tif 000015
【図１５】
0004486240.tif 000016
【図１６】
0004486240.tif 000017
【図１７】
0004486240.tif 000018
【図１８】
0004486240.tif 000019
【図１９】
0004486240.tif 000020
【図２０】
0004486240.tif 000021
【図２１】
0004486240.tif 000022
【図２２】
0004486240.tif 000023
【図２３】
0004486240.tif 000024
【図２４】
0004486240.tif 000025
【図２５】
0004486240.tif 000026
【図２６】
0004486240.tif 000027
【図２７】
0004486240.tif 000028
【図２８】
0004486240.tif 000029
【図２９】
0004486240.tif 000030
【図３０】
0004486240.tif 000031
【図３１】
0004486240.tif 000032
【図３２】
0004486240.tif 000033
【図３３】
0004486240.tif 000034
【図３４】
0004486240.tif 000035
【図３５】
0004486240.tif 000036
【図３６】
0004486240.tif 000037
【図３７】
0004486240.tif 000038
【図３８】
0004486240.tif 000039
【図３９】
0004486240.tif 000040